(57)【要約】【課題】排泄口へのフィット性を向上し、伝い漏れを防止することにある。【解決手段】上記課題は、吸収体２３は、排泄口対向部２０１と内腿対向部２０２との間に、前後方向に延びる所定幅の凹部又はスリット４０を有しており、スリット４０の上を通る液透過性の表側層を有しており、表側層におけるスリット４０上の位置に、細長状の弾性伸縮部材４２を前後方向に沿って伸長状態で固定した、ことを特徴とするパッドタイプ使い捨ておむつ２００により解決される。【選択図】図５
2015104542.tif 000002
【特許請求の範囲】
【請求項１】
股間部と、股間部の前側及び後側にそれぞれ延出する前側部分及び後側部分とを有しており、
前記股間部は、装着者の排泄口と対向する部位を含む排泄口対向部と、その左右両側の部分である、装着者の内腿と対向する部位を含む内腿対向部とを有するとともに、前記排泄口対向部及び内腿対向部に吸収体が設けられている、使い捨ておむつにおいて、
前記吸収体は、前記排泄口対向部と前記内腿対向部との間に、前後方向に延びる所定幅の凹部又はスリットを有しており、
前記凹部又はスリットの上を通る液透過性の表側層を有しており、
前記表側層における前記凹部又はスリット上の位置に、細長状の弾性伸縮部材を前後方向に沿って伸長状態で固定した、
ことを特徴とする吸収性物品。
【請求項２】
前記吸収体は前記スリット有するものであり、
前記吸収体を包む包装シートを有し、
前記包装シートにおける前記吸収体の表側に位置する部分のうち、前記スリットと対応する部位は、前記スリットの表側の開口から前記スリットの内壁に沿って前記スリットの裏側の開口まで落ち込み、前記包装シートにおける前記吸収体の裏側に位置する部分に接合されている、請求項１記載の吸収性物品。
【請求項３】
前記表側層は、前記凹部又はスリット上に位置する部分がＺ字状に折り畳まれて倒伏状態で固定されたシートからなり、前記Ｚ字状に折り畳まれた部分のシート間に前記弾性伸縮部材が固定されており、かつ前記Ｚ字状に折り畳まれた部分が前記凹部又はスリットの上に幅方向に架け渡されている、請求項１又は２記載の吸収性物品。
【発明の詳細な説明】
【技術分野】
【０００１】
本発明は、使い捨ておむつや生理用ナプキン等の吸収性物品に関するものである。
【背景技術】
【０００２】
吸収性物品においては、吸収性物品の表面と体との隙間が大きいことが原因で、排泄液が円滑に吸収されずに、体の表面を伝って脚周り、背側、腹側からの漏れを引き起こすことがある。このため、従来、吸収体にスリットを設けたり、弾性部材を取り付けたりすることにより、吸収性物品の股間部のフィット性を改善することが提案されている（例えば特許文献１〜４参照）。
【先行技術文献】
【特許文献】
【０００３】
【特許文献１】特許４２６１４２０号公報
【特許文献２】特許４３９８５８１号公報
【特許文献３】特許３６６０８１６号公報
【特許文献４】実公平０６−０２１４６３号公報
【発明の概要】
【発明が解決しようとする課題】
【０００４】
しかしながら、従来の物は排泄口へのフィット性には依然として改良の余地がある。
【０００５】
そこで、本発明の主たる課題は、排泄口へのフィット性を向上し、伝い漏れを防止することにある。
【課題を解決するための手段】
【０００６】
上記課題を解決した本発明は次記のとおりである。
＜請求項１記載の発明＞
股間部と、股間部の前側及び後側にそれぞれ延出する前側部分及び後側部分とを有しており、
前記股間部は、装着者の排泄口と対向する部位を含む排泄口対向部と、その左右両側の部分である、装着者の内腿と対向する部位を含む内腿対向部とを有するとともに、前記排泄口対向部及び内腿対向部に吸収体が設けられている、使い捨ておむつにおいて、
前記吸収体は、前記排泄口対向部と前記内腿対向部との間に、前後方向に延びる所定幅の凹部又はスリットを有しており、
前記凹部又はスリットの上を通る液透過性の表側層を有しており、
前記表側層における前記凹部又はスリット上の位置に、細長状の弾性伸縮部材を前後方向に沿って伸長状態で固定した、
ことを特徴とする吸収性物品。
【０００７】
（作用効果）
本発明の吸収性物品では、装着者の股間に装着するとき、股間部の排泄口対向部が内腿対向部に対して持ち上がり、かつ内腿対向部が内腿に沿うように下降してフィットすることになる。この際、本発明では、凹部又はスリット及び弾性伸縮部材の位置関係により、凹部又はスリットの断面空間がせん断的変形（両側壁が接近しつつ幅方向内側の側壁が幅方向外側の側壁に対して上昇する）し、股間部の排泄口対向部が内腿対向部に対して段差をもって持ち上がるようになる。よって、本発明の吸収性物品では排泄口へのフィット性が向上する。
【０００８】
これに対して、特許文献４記載のもののように、スリットの裏側に弾性伸縮部材を配置した場合、スリットの裏側からその両側を持ち上げることになるため、本発明のような空間のせん断的変形が発生せず、幅方向全体が弓なりに持ち上がり、結果的に排泄口へのフィット性が不十分となり易い。
【０００９】
また、特許文献４記載のもののように、幅方向全体を弓なりに持ち上げると体との隙間が少なくなり過ぎ、例えば使い捨ておむつにおける大量の排尿の際等に横漏れし易くなるが、本発明では排泄口対向部と内腿対向部との間に段差があるため、この段差部分と体との間には隙間が形成され易くなり、横漏れのリスクは少ないものとなる。
【００１０】
＜請求項２記載の発明＞
前記吸収体は前記スリット有するものであり、
前記吸収体を包む包装シートを有し、
前記包装シートにおける前記吸収体の表側に位置する部分のうち、前記スリットと対応する部位は、前記スリットの表側の開口から前記スリットの内壁に沿って前記スリットの裏側の開口まで落ち込み、前記包装シートにおける前記吸収体の裏側に位置する部分に接合されている、請求項１記載の吸収性物品。
【００１１】
（作用効果）
本発明のせん断的変形を容易ならしめるためには吸収体にスリットを設けることが好ましいが、単にスリットを設けただけであるとせん断的変形のための空間が潰れてしまうおそれがあるため、上述のように包装シートをスリット内に表側から落とし込み裏側に接合することにより、せん断的変形のための空間が確実に維持される構造とすることが望ましい。
【００１２】
＜請求項３記載の発明＞
前記表側層は、前記凹部又はスリット上に位置する部分がＺ字状に折り畳まれて倒伏状態で固定されたシートからなり、前記Ｚ字状に折り畳まれた部分のシート間に前記弾性伸縮部材が固定されており、かつ前記Ｚ字状に折り畳まれた部分が前記凹部又はスリットの上に幅方向に架け渡されている、請求項１又は２記載の吸収性物品。
【００１３】
（作用効果）
このような構造を採用することにより、表側層の凹部又はスリット上に位置する部分が凹部又はスリット内に落ち込み難くなり、本発明のせん断的変形のための空間がしっかりと維持されるため好ましい。
【発明の効果】
【００１４】
以上のとおり本発明によれば、排泄口へのフィット性が向上し、伝い漏れ防止性能が向上する、等の利点がもたらされる。
【図面の簡単な説明】
【００１５】
【図１】パッドタイプ使い捨ておむつの展開状態の内面側を示す平面図である。
【図２】要部のみを示す平面図である。
【図３】図１のＹ−Ｙ断面図である。
【図４】図１のＺ−Ｚ断面図である。
【図５】装着状態の概略図である。
【図６】他の形態の断面図である。
【図７】他の形態の断面図である。
【図８】他の形態の平面図である。
【図９】他の形態の平面図である。
【発明を実施するための形態】
【００１６】
以下、本発明の一実施形態について添付図面を参照しながら詳説する。なお、本発明の用語のうち「股間部」とは使用時に身体の股間と対応させる部分を意味し、製品によって、図示形態のように物品の前後方向中央若しくはその近傍から前側の所定部位までの範囲であったり、物品の前後方向中央の所定範囲であったりするものである。物品の前後方向中間あるいは吸収体の前後方向中間に幅の狭い括れ部分を有する場合は、いずれか一方又は両方の括れ部分の最小幅部位を前後方向中央とする所定の前後方向範囲を意味する。また、「前側部分（腹側部分）」は股間部よりも前側の部分を意味し、「後側部分（背側部分）」は股間部よりも後側の部分を意味する。
【００１７】
図１〜図４は、本発明に係るパッドタイプ使い捨ておむつ例２００を示している。このパッドタイプ使い捨ておむつ２００は、股間部Ｃ２と、その前後両側に延在する前側部分Ｆ２及び後側部分Ｂ２とを有するものである。各部の寸法は適宜定めることができ、例えば、物品全長（前後方向長さ）Ｌは３５０〜７００ｍｍ程度、全幅Ｗ１は１３０〜４００ｍｍ程度（ただし、おむつの吸収面の幅より広い）とすることができ、この場合における股間部Ｃ２の前後方向長さは１０〜１５０ｍｍ程度、前側部分Ｆ２の前後方向長さは５０〜３５０ｍｍ程度、及び後側部分Ｂ２の前後方向長さは５０〜３５０ｍｍ程度とすることができる。
【００１８】
パッドタイプ使い捨ておむつ２００は、外面に外装シート３２が積層された不透液性バックシート２１の内面と、透液性トップシート２２との間に、吸収体２３が介在された基本構造を有している。
【００１９】
吸収体２３の裏面側には、不透液性バックシート２１が吸収体２３の周縁より若干食み出すように設けられている。不透液性バックシート２１としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。
【００２０】
また、不透液性バックシート２１の外面は、不織布からなる外装シート３２により覆われており、この外装シート３２は、所定の食み出し幅をもってバックシート２１の周縁より外側に食み出している。外装シート３２としては各種の不織布を用いることができる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００２１】
吸収体２３の表面側は、透液性トップシート２２により覆われている。図示形態ではトップシート２２の側縁から吸収体２３が一部食み出しているが、吸収体２３の側縁が食み出さないようにトップシート２２の幅を広げることもできる。トップシート２２としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００２２】
トップシート２２と吸収体２３との間には、中間シート２５を介在させるのが望ましい。この中間シート２５は、吸収体２３により吸収した尿の逆戻りを防止するために設けられるものであり、保水性が低く、且つ透液性の高い素材、例えば各種の不織布やメッシュフィルム等を用いるのが望ましい。トップシート２２の前端を０％としトップシート２２の後端を１００％としたとき、中間シート２５の前端は０〜１１％の範囲に位置しているのが好ましく、中間シート２５の後端は９２〜１００％の範囲に位置しているのが好ましい。また、中間シート２５の幅Ｗ４は後述する吸収体２３の括れ部分２３ｎの最小幅Ｗ５の５０〜１００％程度であるのが好ましい。
【００２３】
パッドタイプ使い捨ておむつ２００の前後方向両端部では、外装シート３２および透液性トップシート２２が吸収体２３の前後端よりも前後両側にそれぞれ延在されて貼り合わされ、吸収体２３の存在しないエンドフラップ部ＥＦが形成されている。パッドタイプ使い捨ておむつ２００の両側部では、外装シート３２が吸収体２３の側縁よりも外側にそれぞれ延在され、この延在部からトップシート２２の側部までの部分の内面には、立体ギャザー２４を形成するギャザーシート２４ｓの幅方向外側の部分２４ｘが前後方向全体にわたり貼り付けられ、吸収体２３の存在しないサイドフラップ部ＳＦを構成している。これら貼り合わせ部分は、図１では点模様で示されており、ホットメルト接着剤、ヒートシール、超音波シールにより形成できる。外装シート３２を設けない場合、外装シート３２に代えて不透液性バックシート２１をサイドフラップ部ＳＦまで延在させ、サイドフラップ部ＳＦの外面側を形成することができる。
【００２４】
ギャザーシート２４ｓの素材としては、プラスチックシートやメルトブローン不織布を使用することもできるが、肌への感触性の点で、不織布にシリコンなどにより撥水処理をしたものが好適に使用される。
【００２５】
ギャザーシート２４ｓの幅方向中央側の部分２４ｃはトップシート２２上にまで延在しており、その幅方向中央側の端部には、細長状弾性部材２４Ｇが前後方向に沿って伸張状態でホットメルト接着剤等により固定されている。この細長状弾性部材２４Ｇとしては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。
【００２６】
また、両ギャザーシート２４ｓは、幅方向外側の部分２４ｘが前後方向全体にわたり物品内面（図示形態ではトップシート２２表面および外装シート３２内面）に貼り合わされて固定されるとともに、幅方向中央側の部分２４ｃが、前後方向の両端部では物品内面（図示形態ではトップシート２２表面）に貼り合わされて固定され、かつ前後方向の両端部間では物品内面（図示形態ではトップシート２２表面）に固定されていない。この非固定部分は、図１に示されるように、物品内面（図示形態ではトップシート２２表面）に対して弾力的に起立する漏れ防止壁となる部分であり、その起立基端２４ｂはギャザーシート２４ｓにおける幅方向外側の固定部分２４ｘと内側の部分２４ｃとの境に位置する。
【００２７】
吸収体２３としては、パルプ繊維の積繊体、セルロースアセテート等のフィラメントの集合体、あるいは不織布を基本とし、必要に応じて粒子状等の高吸収性ポリマーを混合、固着等してなるものを用いることができる。高吸収性ポリマー粒子を混合する場合等、必要に応じて、吸収体２３はクレープ紙等の包装シート２６により包むことができる。また、吸収体２３の形状は、相対的に前側の部分が後側の部分よりも幅狭な帯状、あるいは長方形状、台形状等、適宜の形状とすることができる。
【００２８】
吸収体２３における繊維目付け及び高吸収性ポリマーの目付けは適宜定めることができるが、繊維目付けは１００〜６００ｇ／ｍ2程度とするのが好ましく、また吸収性ポリマーの目付け０〜４００ｇ／ｍ2程度とするのが好ましい。
【００２９】
吸収体２３は、股間部Ｃ２を含む前後方向中間の所定部分が幅の狭い括れ部分２３ｎとして形成されている。この括れ部分２３ｎの最小幅Ｗ５は、括れ部分２３ｎの前後に位置する非括れ部分の幅Ｗ２の５０〜６５％程度であるのが好ましい。また、物品前端を０％とし物品後端を１００％としたとき、括れ部分２３ｎの前端は１０〜２５％の範囲に位置しているのが好ましく、括れ部分２３ｎの後端は４０〜６５％の範囲に位置しているのが好ましく、括れ部分２３ｎの最小幅Ｗ５となる部位（最小幅部位）は２５〜３０％の範囲に位置しているのが好ましい。
【００３０】
特徴的には、パッドタイプ使い捨ておむつ２００の股間部Ｃ２は、装着者の排泄口と対向する部位を含む排泄口対向部２０１と、その左右両側の部分である、装着者の内腿と対向する部位を含む内腿対向部２０２とを有する程度の幅とされており、これら排泄口対向部２０１及び内腿対向部２０２は吸収体２３を内蔵する部分とされている。股間部Ｃ２の幅Ｗ３は、大人用の場合、１５０ｃｍ以上、特に２００〜２６０ｃｍ程度とすることができる。また、排泄口対向部２０１及び内腿対向部２０２に吸収体２３を内蔵する形態としては、図示形態のように排泄口対向部２０１及び内腿対向部２０２にわたる一体的な吸収体２３を備える形態の他に、各部２０１，２０２に個別の吸収体２３を備える形態を採用することもできる。
【００３１】
そして、吸収体２３は、排泄口対向部２０１と内腿対向部２０２との間に、前後方向に延びる所定幅のスリット４０を有している。また、このスリット４０の上を通る液透過性の表側層として、図示形態ではトップシート２２及びセカンドシート２５を有しているが、セカンドシート２５を省略した場合にはトップシート２２のみが表側層となり、他のシートが介在すれば当該他のシートを含めて表側層となる。ただし、図示形態の包装シート２６の表側部分のように、スリット４０の上を通らずに、スリット４０内に落ち込むシートは表側層に含まれない。
【００３２】
スリット４０は股間部Ｃ２に設けられている限り、その前後方向の長さ４０Ｌは特に限定されず、したがって吸収体２３の前後方向全体にわたり設けることもできるが、図示形態のように前側部分Ｆ２の股間側端部から後側部分Ｂ２の股間側端部まで延在させることが望ましい。また、図８に示すように、スリット４０の後側の部分を幅方向外側に向かうように曲げたり（前側も同様に曲げることができる）、図９に示すように、幅方向中央に他のスリット４１を設けたりすることもできる。より具体的には、使い捨ておむつ２００の前端を０％とし、使い捨ておむつ２００の後端を１００％としたとき、スリット４０の前端は１５〜３０％の範囲に位置しているのが好ましく、スリット４０の後端は４０〜７０％の範囲に位置しているのが好ましい。
【００３３】
スリット４０の幅４０Ｗ（図示形態の場合、排泄口対向部２０１と内腿対向部２０２との間隔に等しい）は、対向する側壁が離間している限り特に限定されないが、通常の場合５〜２５ｍｍ程度とすることができる。ただし、隙間の幅が無い（対向する側壁が接触する）スリットは「所定幅の」という条件を満たさず、後述するせん断的変形のための空間２１０が形成されないため、本発明のスリット４０には含まれない。
【００３４】
スリット４０が排泄口対向部２０１と内腿対向部２０２との間に位置する限り、左右のスリット４０の間隔４０Ｄは適宜定めることができるが、通常の場合、吸収体２３の括れ部分２３ｎの最小幅Ｗ５の１０〜３０％程度であるのが好ましい。
【００３５】
大人用における各部の寸法の一例を挙げると次のとおりである。
製品全長Ｌ：６３０ｍｍ
製品前端からスリット４０の前端までの長さ４０Ｆ：１２０ｍｍ
製品後端からスリット４０の後端までの長さ４０Ｂ：２９０ｍｍ
左右のスリット４０の間隔４０Ｄ：２５ｍｍ
スリット４０の幅４０Ｗ：２０ｍｍ
スリット４０の前後方向長さ４０Ｌ：２２０ｍｍ
【００３６】
また、表側層におけるスリット４０上の位置には、細長状の弾性伸縮部材４２が前後方向に沿って伸長状態で固定されている。この弾性伸縮部材４２は、前後方向においては一部がスリット４０上に位置している限り、図示形態のように両端側又は一端側がスリット４０より食み出していても良く、また全体がスリット４０上に位置していても良い。各スリット４０上に設ける弾性伸縮部材４２の本数は、図示形態と異なり、複数本とすることもでき、その場合、複数本の弾性伸縮部材の全てをスリット上に配置することが望ましい。
【００３７】
弾性伸縮部材４２の固定時の伸長率は適宜定めれば良いが、通常の場合１８０〜２６０％程度とすることが好ましい。また、弾性伸縮部材４２の太さも適宜定めれば良いが、通常の場合４７０〜９４０ｄｔｅｘ程度とすることが好ましい。
【００３８】
以上のように構成されたパッドタイプ使い捨ておむつ２００では、装着者の股間に装着するとき、図５（ａ）に示すように、股間部Ｃ２の排泄口対向部２０１が内腿対向部２０２に対して持ち上がり、かつ内腿対向部２０２が内腿に沿うように下降してフィットすることになる。そしてこの際、凹部又はスリット４０及び弾性伸縮部材４２の位置関係により、凹部又はスリット４０の断面空間２１０がせん断的変形（両側壁が接近しつつ幅方向内側の側壁が幅方向外側の側壁に対して上昇する）し、股間部Ｃ２の排泄口対向部２０１が内腿対向部２０２に対して段差をもって持ち上がるようになる。よって、吸収性物品では排泄口へのフィット性が向上する。
【００３９】
これに対して、図５（ｂ）に示すように、スリット４０の裏側に弾性伸縮部材４２を配置した場合、スリット４０の裏側からその両側を持ち上げることになるため、図５（ａ）に示すような空間２１０のせん断的変形が発生せず、幅方向全体が弓なりに持ち上がり、結果的に排泄口へのフィット性が不十分となり易い。また、図５（ｂ）に示すように、幅方向全体を弓なりに持ち上げると体との隙間が少なくなり過ぎ、例えば使い捨ておむつにおける大量の排尿の際等に横漏れし易くなるが、図５（ａ）に示すように、排泄口対向部２０１と内腿対向部２０２との間に段差があると、この段差部分と体との間には隙間が形成され易くなり、横漏れのリスクは少ないものとなる。なお、図５中の二点鎖線で示す部分が装着者の股間の辺りを表している。
【００４０】
他方、図示形態のような吸収体２３を厚さ方向に貫通するスリット４０に代えて、表側から裏側に窪む凹部を設け、この凹部内の空間２１０によりスリット４０の形態と同様の装着時のせん断的変形を発生させることもできる。このような凹部はエンボス加工のように吸収体を部分的に圧縮することにより形成する他、素材を部分的に低目付とすることにより形成することもできる。ただし、せん断的変形を容易ならしめるためには、図示形態のように吸収体２３にスリット４０を設けることが好ましい。
【００４１】
また、吸収体２３に単にスリット４０を設けただけであるとせん断的変形のための空間２１０が潰れてしまうおそれがあるため、吸収体２３を包む包装シート２６を利用し、図示形態のように、包装シート２６における吸収体２３の表側に位置する部分のうち、スリット４０と対応する部位は、スリット４０の表側の開口からスリット４０の内壁に沿ってスリット４０の裏側の開口まで落ち込ませ、包装シート２６における吸収体２３の裏側に位置する部分に接合すると、せん断的変形のための空間２１０が確実に維持される構造となるため好ましい。
【００４２】
表側層に対する弾性伸縮部材４２の取り付け構造は特に限定されず、例えば図６に示すように、トップシート２２上に固定用シート４３を貼り付けるとともに、それらシート２２，４３間に弾性伸縮部材４２を挟み、ホットメルト接着剤により固定する構成としたり、図７に示すように、固定用シート４４の両端部を折り返した二層構造部分に弾性伸縮部材４２を挟み、ホットメルト接着剤により固定したものをトップシート２２上（スリット４０の上であれば他の部位でも良い）にホットメルト接着剤等により貼り付けたり、図示しないが、トップシート２２と中間シート２５との間に弾性伸縮部材４２を挟み、ホットメルト接着剤により固定する構成としたりすることもできる。
【００４３】
特に、図４に示すように、トップシート２２（表側層の構成シートであれば良い）におけるスリット４０上に位置する部分をＺ字状に折り畳んでホットメルト接着剤等により倒伏状態で固定し、当該Ｚ字状に折り畳まれた部分２２ｚがスリット４０上に幅方向に架け渡された状態とするとともに、このＺ字状に折り畳まれた部分２２ｚのシート間に弾性伸縮部材４２をホットメルト接着剤等により固定すると、スリット４０上に位置する部分２２ｚの剛性が高いこともあってスリット４０内に落ち込み難くなり、前述のせん断的変形のための空間２１０がしっかりと維持されるため好ましい。また、このようにトップシート２２を利用することで、シートを別途追加せずに弾性伸縮部材４２を固定できるという利点もある。なお、折り畳み部分２２ｚは、弾性伸縮部材４２の取付位置以外では対向面を接合しなくても良いが、折り畳み部分２２ｚの形状安定性を高めるために、図示形態のように折り畳み部分２２ｚの対向面全体を接合するのも好ましい。
【００４４】
＜その他＞
上記例では、吸収体２３が一層構造のものとされているが、二層構造とすることもでき、その場合、スリット４０（又は凹部）はいずれか一方（特に上層が好ましい）に設ける他、厚み方向において上層及び下層の両者にわたるように設けることもできる。
【産業上の利用可能性】
【００４５】
本発明は、パッドタイプ使い捨ておむつ、パンツタイプ若しくはテープタイプ使い捨ておむつ等の、使い捨ておむつの他、生理用ナプキン等、吸収性物品全般に利用できるものである。
【符号の説明】
【００４６】
Ｂ２…後側部分、Ｃ２…股間部、Ｆ２…前側部分、２１…不透液性バックシート、２２…トップシート、２３…吸収体、２４…立体ギャザー、２４ｓ…ギャザーシート、２５…中間シート、２６…包装シート、３２…外装シート、４０…スリット、４１…他のスリット、４２…弾性伸縮部材、４３…固定用シート、２００…パッドタイプ使い捨ておむつ、２０１…排泄口対向部、２０２…内腿対向部、２１０…空間。
【図１】
2015104542.tif 000003
【図２】
2015104542.tif 000004
【図３】
2015104542.tif 000005
【図４】
2015104542.tif 000006
【図５】
2015104542.tif 000007
【図６】
2015104542.tif 000008
【図７】
2015104542.tif 000009
【図８】
2015104542.tif 000010
【図９】
2015104542.tif 000011